(57)【特許請求の範囲】
【請求項１】
所定の画像サイズを有する原画像を処理して複数の画像サイズの階層画像データを所定解像度ごとの階層にて作製し、該作製された画像データを情報記録媒体に記録する画像データ記録装置において、該装置は、
前記原画像を表わす第１の画像データを処理して複数の画像サイズの階層からなる階層的画像データの第２の画像データを前記それぞれの階層にて作製する階層化処理手段と、
前記第２の画像データを選択する切替手段と、
該切替手段の接続動作を制御する制御手段とを有し、
該制御手段は、前記第１の画像データに基づいて該第１の画像データの画像サイズを判定するデータ判定手段と、
該データ判定手段にて判定された前記第１の画像データの画像サイズが前記所定の画像サイズに満たない場合、前記切替手段における第２の画像データの選択を制御する切替制御手段とを有し、
前記階層化処理手段は、前記原画像を表わす第１の画像データを解像度の階層に応じて順次、縮小する複数の縮小処理手段と、
該縮小処理手段にて縮小された縮小画像データを処理して第２の画像データを生成する演算手段と、
前記各階層における画像がそれぞれの階層の画像サイズを満たすように前記各階層の画像の周囲に付与する枠画像を表す枠データであって、それぞれ現階層の枠画像を表すデータと前記現階層よりも１段上位の階層の枠画像を表すデータとの差分に相当する枠データを第３の画像データとして生成するデータ生成手段とを含み、
前記切替手段は、前記データ判定手段にて判定された前記第１の画像データの画像サイズが前記所定の画像サイズに満たない場合、前記切替制御手段の制御に基づいて、前記各階層の第２の画像データから前記第３の画像データに前記選択を切り替えて出力することを特徴とする画像データ記録装置。
【請求項２】
請求項１に記載の画像データ記録装置において、前記データ生成手段は、前記第１の画像データの画像サイズが前記所定の画像サイズに満たない場合、少なくとも前記所定の画像サイズを満し、各階層別に任意の色の枠画像を表わす第３の画像データを生成することを特徴とする画像データ記録装置。
【請求項３】
請求項１に記載の画像データ記録装置において、前記データ生成手段は、各階層別に所定の絵柄を有した枠画像を表わす第３の画像データを生成することを特徴とする画像データ記録装置。
【請求項４】
請求項１に記載の画像データ記録装置において、該装置は、前記切替手段にて選択されたデータを符号化する符号化手段を備えることを特徴とする画像データ記録装置。
【請求項５】
請求項１に記載の画像データ記録装置において、前記所定の画像サイズの画像データが記録される情報記録媒体は、光ディスクであることを特徴とする画像データ記録装置。
【発明の詳細な説明】
【０００１】
【産業上の利用分野】
本発明は、所定の画像サイズの画像データから階層的画像データを作製して、情報記録媒体に記録する画像データ記録装置に係り、とくに、規定の画像サイズに満たないサイズの画像データを処理する画像データ記録装置に関するものである。
【０００２】
【従来の技術】
階層的符号化方法の典型的な一例として、Ｐ．Ｊ    Ｂｕｒｔ  他による”Ｔｈｅ  ＬａｐｌａｃｉａｎＰｙｒａｍｉｄ  ａｓ  ａ  Ｃｏｍｐａｃｔ  Ｉｍａｇｅ  Ｃｏｄｅ”，  ＩＥＥＥ  Ｔｒａｎｓ．  Ｃｏｍｍｕｎ．，  ＣＯＭ−３１，  第  ４号、第５３２  〜５４０  頁（１９８３年  ４月）に記載のように、ラプラシアンピラミッド符号化方式が知られている。これは、フィリップス・コダック社によるフォトＣＤ規格等の画像データのファイルにおいて行なわれているように、階層状のファイル構造において縮小または拡大画像を生成し、記録するものである。これは、たとえば米国特許第４，９６９，２０４  （特表平４−５０３２９５に対応）および特表平４−５０４０３９号公報などに開示されている。
【０００３】
このフォトＣＤ規格では、たとえば撮影後の写真フィルムから高解像度にて読み取られた３０７２×２０４８画素で構成される原画像の三原色画像データを処理して第０階層の３０７２×２０４８画素の１６Ｂａｓｅの画像データを作製する。この１６Ｂａｓｅ画像データは、順次縮小処理されて、第１階層では１０２４×１５３５画素の４Ｂａｓｅ  画像データ、第２階層では  ５１２×７６８  画素Ｂａｓｅの画像データ、第３階層では  ２５６×３８４  画素のＢａｓｅ／４画像データおよび第４階層では  １２８×１９２  画素のＢａｓｅ／１６  画像データの４階層の縮小画像データが作製される。このようにして作製された縮小画像データと１６Ｂａｓｅ画像データとは、補間処理、演算処理および符号化処理などの処理を経て、書き込み可能なコンパクトディスク（ＣＤ−Ｒ；Ｃｏｍｐａｃｔ  Ｄｉｓｃ−Ｒｅｃｏｒｄａｂｌｅ）であるフォトＣＤに書き込まれる。
【０００４】
これら解像度別の階層にて作製された画像データは、それぞれの階層別に画像データの再生画像の用途がおおむね決まっている。たとえば、１６Ｂａｓｅ画像データは、フォトＣＤから読み出されて所定の信号処理の後プリンタなどの印刷装置に出力されて記録紙に３０７２×２０４８画素の１６Ｂａｓｅ画像が形成され、また、たとえばＢａｓｅ画像データは、フォトＣＤから読み出されて所定の信号処理の後テレビモニタ装置に出力されて  ５１２×７６８  画素のＢａｓｅ画像がその画面に表示される。
【０００５】
【発明が解決しようとする課題】
上述のフォトＣＤ規格において、入力画像データの画素数が規定の画素数３０７２×２０４８画素に満たない場合には、その不足した画素部分を補って作製された３０７２×２０４８画素の画像データを符号化することが考えられる。この画素を補う方法として画像の周辺を枠組みする方法がある。
【０００６】
しかしながら、上述のように枠付き画像を作製する場合、枠の色や柄などの仕様をどうするかという問題があった。たとえば枠付きの画像がテレビモニタ装置に出力されるならば枠の色は青あるいは黒が適当と思われる。記録紙に印刷出力される場合には枠の色は白が適当と思われる。また、感光紙に出力する場合には模様付きの枠が好まれるかもしれない。しかしこの付加枠は、所望の枠を表わす枠データを入力画像データに加えることにより作製されるので、それぞれの解像度に応じた再生に適するように、色や模様の枠をそれぞれ付加することができないという問題があった。この結果、テレビモニタ装置に出力される画像や記録紙に印刷出力される画像に付加される枠の種類をそれぞれ変えて、フォトＣＤなどの情報記録媒体に記録することができなかった。
【０００７】
本発明は、入力画像の画像サイズが規定のサイズに満たないときでも、それぞれの階層の画像を再生する場合に適切な画像となるように不足分の画像データを補うことのできる画像データ記録装置を提供することを目的とする。
【０００８】
【課題を解決するための手段】
本発明は上述の課題を解決するために、所定の画像サイズを有する原画像を処理して複数の画像サイズからなる階層的画像データを作製し、この作製された画像データを情報記録媒体に記録する画像データ記録装置において、この装置は、原画像を表わす第１の画像データを処理して複数の階層からなる階層的画像データの第２の画像データを作製する階層化処理手段と、第２の画像データを選択する切替手段と、この切替手段の接続動作を制御する制御手段とを有し、この制御手段は、第１の画像データに基づいてこの第１の画像データの画像サイズを判定するデータ判定手段と、このデータ判定手段にて判定された画像サイズに応じて、切替手段における第２の画像データの選択を制御する切替制御手段とを有し、階層化処理手段は、さらにデータ判定手段にて判定された第１の画像データの画像サイズが所定の画像サイズに満たない場合、少なくとも所定の画像サイズを満たすための画像を表わす第３の画像データを生成するデータ生成手段を備え、切替手段は、切替制御手段の制御に基づいて、複数の階層からなる第２の画像データと、第３の画像データとを選択して切り替えることを特徴とする。
【０００９】
この場合、データ生成手段は、第１の画像データの画像サイズが所定の画像サイズに満たない場合、少なくとも所定の画像サイズを満たす枠画像用の第３の画像データを生成するとよい。
【００１０】
また、データ生成手段は、第１の画像データの画像サイズが所定の画像サイズに満たない場合、少なくとも所定の画像サイズを満たす任意の色の枠画像を表わす第３の画像データを生成するとよい。
【００１１】
また、データ生成手段は、所定の絵柄を有した枠画像を表わす第３の画像データを生成するとよい。
【００１２】
また、階層化処理手段は、原画像を表わす第１の画像データを解像度の階層に応じて順次、縮小する複数の縮小処理手段と、この縮小処理手段にて縮小された縮小画像データを処理して第２の画像データを生成する演算手段とを備え、データ生成手段は、データ判定手段にて判定された画像サイズが所定の画像サイズに満たない場合に、少なくとも所定の画像サイズを満たす枠画像用の第３の画像データを生成するとよい。
【００１３】
また、この装置は、前記切替手段にて選択されたデータを符号化する符号化手段を備えるとよい。
【００１４】
また、所定の画像サイズの画像データが記録される情報記録媒体は、光ディスクであるとよい。
【００１５】
【作用】
本発明の画像データ記録装置によれば、原画像を表わす第１の画像データが階層化処理手段にて処理されて複数の階層からなる階層的画像データの第２の画像データが作製される。一方、データ判定手段にて判定された第１の画像データの画像サイズに応じて、所定の画像サイズに満たない第１の画像データに対して、少なくとも所定の画像サイズを満たすための第３の画像データが階層化処理手段のデータ生成手段にて生成される。
【００１６】
これら作製および生成された第２の画像データと、第３の画像データとは、切替制御手段の制御に基づいた切替手段の動作により選択されて切り替えられる。これにより、所定の画像サイズに満たない第１の画像データが入力された場合、その不足分の画像データを、データ生成手段にて生成された第３の画像データで補うことができ、この不足した画素が補われた画像データを情報記録媒体に記録し得る。
【００１７】
【実施例】
次に添付図面を参照して、本発明による画像データ記録装置の実施例を詳細に説明する。図１を参照すると、本発明が適用される画像データ記録装置の一実施例が示されている。同図を参照すると、画像データ記録装置１０は、入力される画像データを解像度ごとの複数の階層（第０階層〜第４階層）からなる階層的画像データ構造に変換して、入力画像データの画像サイズが所定の画像サイズに満たない場合に、それぞれの解像度の画像データに枠画像を表わす枠データを付加して圧縮符号化し、符号化処理された画像データをたとえば書き込み可能なコンパクトディスク（ＣＤ−Ｒ）などの情報記録媒体に記録する画像データ記録装置である。なお、同図において画像データ記録装置１０は、本発明を説明するための一例に過ぎず、また同図には説明の便宜上、必要な部分のみを示し、本発明に直接関係のない他の部分はその図示を省略してある。
【００１８】
この画像データ記録装置１０は、入力画像データを階層的画像データに変換して枠データを付加する階層化処理回路１２と、階層化処理回路１２にて処理されたデータを符号化する符号化回路１４と、画像データ記録装置１０に入力される画像データに応じた制御を行なう制御回路１６とを備えている。詳しくは、階層化処理回路１２は、入力画像データＧ０を順次縮小処理して、階層的画像データ（ガウシアンプレーン）Ｇ０〜ＧＭ−１を作製する画像縮小処理部１ｍ（１１  〜１Ｍ−１）と、画像縮小処理部１ｍ  にて作成された階層的画像データＧ１〜ＧＭ−１を拡大処理する補間処理部２ｍ（２１  〜２Ｍ−１）と、画像縮小処理部１ｍ  および補間処理部２ｍ  にてそれぞれ作製された２つの画像データ間の差分データ（ラプラシアンプレーン）Ｌ０〜ＬＭ−２を算出する演算器３ｍ（３０  〜３Ｍ−２）と、各階層毎の枠のデータを生成する枠データ生成部４ｍ（４０  〜４Ｍ−１）と、各階層毎の画像領域のデータと枠領域のデータとを択一的に選択する切替器５ｍ（５０  〜５Ｍ−１）とを備えている。なお、この明細書において大文字の記号「Ｍ」は、階層的画像データ構造の階層数を表わすものとする。
【００１９】
画像縮小処理部１ｍ  は、入力画像データＧ０を帯域制限する低域通過フィルタリング機能を有し、また、画像縮小処理部１ｍ  は、サブサンプリングによるｎ×ｎ画素（ｎは自然数）からなるブロックを単位とする画像データを１画素の画像データに変換する処理部である。この画像縮小処理部１ｍ  は、入力１００  に入力された入力画像データを縦横とも１／ｎ  の画像サイズに縮小する。それぞれの階層の画像縮小処理部１ｍ（１１  〜１Ｍ−１）は、順次複数の階層的画像データＧｍ（Ｇ１  〜ＧＭ−１）  を作製する。それぞれの階層の画像縮小処理部１ｍ  にて作製された階層的画像データＧｍ（Ｇ１  〜ＧＭ−１）  は、画像データＧ０とともに概念的なガウシアンピラミッドを構成する。
【００２０】
補間処理部２ｍ  は、画像縮小処理部１ｍ  にて縮小処理された画像データＧｍの補間処理を行なう処理部である。たとえば補間処理部２ｍ  は、ある階層の画像データＧｍの各画素にｎ×ｎ個の「０」データを付加して補間しｎ×ｎ倍の画像へ拡大する。補間された画像データは、それぞれ１段下位の階層の画像Ｇｍ−１と同じ画像サイズとなり、これら画像データは、１段下位の階層の演算器３ｍ−１  に入力される。この補間処理は１段下位の階層の画像データとの差分データを求めるために行なわれ、画像縮小処理部１ｍ  にて縮小処理された画像データは、それぞれ１段下位の階層の画像と同一の画像サイズに変換される。補間で付加する数値は記録データ量が少なくなりしかも復号が簡単に行える数値が好ましく、この実施例では「０」が用いられる。
【００２１】
演算器３ｍ  は、２個の画素のデータ値の差を算出する処理部である。実施例のｍ階層目の演算器３ｍ  に基づいて説明すると、演算器３ｍ  は画像データＧｍと、そのｍ階層より１段上層の補間処理部２ｍ＋１  にて補間処理された画像データＧｍ＋１  とのそれぞれ同一アドレス上の２個の画素データ値の差を算出する。この演算器３ｍ  によって得られたラプラシアンピラミッドを構成する差分データＬｍ（ラプラシアンプレーンＬｍ）は、好ましくはラプラシアンプレーンのデータを保持する記憶回路（図示せず）にて保持された後、切替器５ｍ（５０  〜５Ｍ−２）のそれぞれ一方の入力端子１８に入力される。また縮小処理部１Ｍ−１  にて縮小処理された画像データＬＭ−１は切替器５Ｍ−１  の一方の入力端子１９に入力される。
【００２２】
枠データ生成部４ｍ（４０  〜４Ｍ−１）は、各階層毎の枠領域のデータを生成するデータ生成処理部である。詳しくは枠データ生成部４ｍ  は、それぞれ各階層の枠を表わすデータと、その階層より１段上位の階層の枠を表わすデータとの差に相当する枠データを生成する。たとえば枠データ生成部４０  は、第０階層の枠画像を表わすデータとその階層より１段上位の第１階層の枠画像を表わすデータとの差分データに相当する枠データを生成する。また枠データ生成部４Ｍ−１  は、最上位の階層における枠を表わす枠データを生成する。枠データ生成部４ｍ  にて生成される枠データの構成は、それぞれガウシアンピラミッドを構成する画像データとほぼ同様の構成でよい。
【００２３】
枠データ生成部４ｍ（４０  〜４Ｍ−１）にて生成される枠データは、たとえば図２に示す構成にて生成される。同図において、ガウシアンピラミッドの階層画像記憶部Ｇｂ０  〜ＧｂＭ−１  に、直接各階層毎の画像データに付加したい所望の色の枠画像を表わす枠画像データを複数の解像度ごとにそれぞれ設定する。最上位段の第（Ｍ−１）段目を除く各階層では、それぞれ補間処理部２ｍ  にて補間された上位の階層の枠画像データと各階層の枠画像データとの差分データが演算器３ｍ  にてそれぞれ算出され、算出されたデータが枠データとなる。この枠データは、画像データと同一手順によって得ているため、画像データの余白部分へこの枠データを挿入した場合、画像データと同一の手順により元の画像が復元される。
【００２４】
このような枠データを生成する図２に示す構成は枠データ生成部４ｍ  にそのまま備えられてもよいが、この実施例では、このようにして生成された枠データをたとえばＲＯＭ（Ｒｅａｄ  Ｏｎｌｙ  Ｍｅｍｏｒｙ）  などの記憶素子に書き込む。枠データ生成部４ｍ  にはその枠データが書き込まれたＲＯＭ  （図示せず）が備えられている。
【００２５】
詳しくはこの実施例では、第０および第１階層における枠データ生成部４０  および４１  は、白色の枠画像を表わす枠データであって、それぞれ１段階上位の階層の枠を表わす画像データとの差に対応する枠データを生成する。また、第２階層における枠データ生成部４２  は青色の枠画像を表わす枠データであって、１段階上位の階層の枠を表わす画像データとの差に対応する枠データを生成する。したがって、第１階層の枠データ生成部４１  は、１段上位の階層の第２階層における青色の枠画像を表わすデータと、第１階層の青色の枠画像を表わすデータとの差に対応する枠データを生成する。
【００２６】
枠データ生成部４ｍ  は、入力２２に現れる基準信号に基づいて枠データをそれぞれ生成し、生成した枠データを出力１９に出力する。したがって枠データ生成部４ｍ  より出力される枠データの出力タイミングは、入力２２に現れる基準信号に基づいて規定される。枠データ生成部４ｍ  の出力１９は切替器５ｍ  の他方の入力端子１９にそれぞれ接続されている。
【００２７】
ここで、縮小処理部１ｍ  、補間処理部２ｍ  、演算器３ｍ  および枠データ生成部４ｍ  にてそれぞれ処理された第１階層および第２階層のデータが表わす画像の概略を図３に示す。同図には縮小処理部１１  〜１３  にてそれぞれ縮小処理された縮小画像データＧ１〜ＧＭ−１と、補間処理部２２  および２３  にてそれぞれ補間された画像データ３００  および３０２  と、演算器３１  および３２  にて算出された差分データＬ１およびＬ２と、枠データ生成部４１  および４２  にて生成された枠データ３０４  および３０６  とが示されている。この図において、一点鎖線にて示した部分は、その階層における規定の画素数の画像サイズを表わす枠である。
【００２８】
この規定の画像サイズは、たとえば縮小画像データＧ１の第１階層では、４Ｂａｓｅ  画像を表わす１０２４×１５３６画素であり、縮小画像データＧ２の第２階層では、Ｂａｓｅ画像を表わす  ５１２×７６８  画素である。また、枠データ３０４  は、１段階上位の階層の枠を表わす画像データとの差に対応する枠データであり、枠データ３０４  は、１段上位の階層の第２階層における青色の枠画像を表わすデータと、第１階層の青色の枠画像を表わすデータとの差に対応する枠データである。この実施例では、切替器５にて、差分データと、枠データとを切り替えることにより、規定された画像サイズを満たさない部分に枠画像を補う処理を行なう。
【００２９】
図１に戻って、切替器５ｍ（５０  〜５Ｍ−１）は、各階層毎の画像領域のデータと枠領域のデータとを択一的に選択する切替器である。詳しくは切替器５ｍ（５０  〜５Ｍ−１）は、それぞれ制御入力２４に現れる切替制御信号に応動して、それぞれの階層にて作成された画像データが現れる入力端子１８と、それぞれの階層の枠データ生成部４ｍ  にて生成された枠データが現れる入力端子１９とを択一的に選択し、選択した入力端子に現れたデータをその出力３０に接続する。この切替動作は制御回路１６の制御に基づいて行なわれる。したがって、入力した画像データの画像サイズが規定の３０７２×２０４８画素の１６Ｂａｓｅ画像であって、この画像サイズを満たしている場合には、枠データの取り込みが行われず入力端子１８を選択した切替器５ｍ  の接続状態が図示のように保持される。切替器５ｍ（５０  〜５Ｍ−１）のそれぞれの出力３０は、階層化処理回路１２の出力を構成し、この出力３０は符号化回路１４に接続されている。
【００３０】
符号化回路１４は、階層化処理回路１２にて作成された階層的な画像データをそれぞれ符号化する符号化処理回路である。詳しくは符号化回路１４は、切替器５ｍ（５０  〜５Ｍ−１）より出力されたデータをそれぞれ符号化する符号器６ｍ（６０  〜６Ｍ−１）を備えている。符号器６ｍ（６０  〜６Ｍ−１）にて符号化されたデータは、本実施例では光ディスクなどの記録媒体に記録される。
【００３１】
制御回路１６は、入力した画像データに応じて階層化処理回路１２を制御する制御回路である。詳しくは制御回路１６は、入力した画像データＧ０の画像サイズを判別するデータ判別部７と、データ判別部７における判別結果に基づいて階層化処理回路１２の切替器５ｍ  を制御する切替制御部８とを備えている。詳しくはデータ判別部７は、入力画像データＧ０の画素数を表わす画像サイズを判定する機能を有し、入力１００  に現れる画像データＧ０が規定の画像サイズであるか否かを判定する。この実施例ではデータ判別部７は、入力画像データＧ０のアドレスに基づいてその画像データＧ０の画像サイズを判定し、とくに３０７２×２０４８画素の１６Ｂａｓｅ画像よりも少ない画素にて構成された画像サイズの画像データが入力１００  に現れたことを認識すると、この認識結果に対応する判定結果信号を出力２０に出力する。データ判別部７の出力２０は切替制御部８に接続されている。またデータ判別部７は、枠データ生成部４ｍ  にて生成される枠データの生成タイミングを規定する基準信号を生成する機能を有している。データ判別部７は生成した基準信号２２をそれぞれ枠データ生成部４ｍ（４０  〜４Ｍ−１）に出力する。
【００３２】
切替制御部８は、入力２０に現れた判定結果信号に基づいて切替器５ｍ（５０  〜５Ｍ−１）の切り替えを制御する切替信号を生成する切替制御部である。詳しくは、切替制御部８は、各階層の画像縮小処理部１ｍ  、補間処理部２ｍ  および演算器３ｍ  により作製されたラプラシアンピラミッドを構成するデータＬ０〜ＬＭ−１（ラプラシアンプレーン）と、枠データ生成部４ｍ（４０  〜４Ｍ−１）にてそれぞれ生成された枠データとのいずれかを、枠画像の付加位置に応じて選択するための切替信号を生成する。このとき切替制御部８は、入力画像データのアドレスに対応した判別結果信号に基づいて、切替器５ｍ（５０  〜５Ｍ−１）のそれぞれを制御する切替信号を出力２４にそれぞれ出力する。また、切替制御部８は、画像データＧ０の入力に際して、判定結果信号がデータ判別部７より通知されない場合には、それぞれ図示のような接続状態にて切替器５ｍ  を保持するように制御する。切替制御部８の出力２４は切替器５ｍ（５０  〜５Ｍ−１）にそれぞれ接続されている。
【００３３】
上記の各機能部によって実施例の画像データ記録装置１０は構成される。この画像データ記録装置１０に入力される原画像データＧ０の画像サイズが規定の画像サイズである２０４８×３０７２画素に満たない場合の画像データ記録装置１０の動作を以下に説明する。まず、ラプラシアンピラミッドを構成する差分データＬｍ（Ｌ０〜ＬＭ−１）  の作製方法について説明すると、原画像データＧ０の入力が行なわれ、入力された画像データＧ０は、縮小処理部１ｍ（１０  〜１Ｍ−１）にてそれぞれ順次１／ｎ  の画素数に縮小され、縮小された縮小画像データＧ１〜ＧＭ−１が作製される。これにより縮小画像データＧ１〜ＧＭ−１のおよび原画像データＧ０それぞれのガウシアンプレーンにて構成された第０層〜第４層のＭ段のガウシアンピラミッドが作製される。
【００３４】
次に、ガウシアンピラミッドの最上位の階層の縮小画像データＧＭ−１（ＬＭ−１）は、第４階層のラプラシアンプレーンＬＭ−１を構成し、この縮小画像データＧＭ−１は切替器５Ｍ−１  の入力端子１８に入力される。一方、この縮小画像データＧＭ−１は、補間処理部２Ｍ−１  に入力されて補間される。補間処理を受けた画像データは、演算器３Ｍ−１  のマイナス側の入力に入力され、そのプラス側の入力に入力される１段下位の階層の縮小画像データＧＭ−２との差分が算出される。算出された差分データＬＭ−２は、ラプラシアンピラミッドの第３階層の差分データＬＭ−２（ラプラシアンプレーン）を構成する。以下同様の処理が補間処理部２１  〜２３  および演算器３０  〜３２  にてそれぞれ行なわれて、第２階層の差分データＬ２、第１階層の差分データＬ１および第０階層の差分データＬ０がそれぞれ作製される。
【００３５】
次に、枠データ生成部４ｍ（４０  〜４Ｍ−１）における枠データの作製について説明する。まず、制御回路１６のデータ判別部７に原画像データＧ０が入力されると、このデータＧ０が３０７２×２０４８画素の規定の画像サイズであるか否かが判定される。この場合、規定の画像サイズに満たない画像データＧ０の入力が検出されると、この検出結果を表わす判定結果信号がデータ判別部７の出力２０に出力されるとともに、枠データが生成されるタイミングを規定する基準信号が出力２２に出力される。
【００３６】
データ判別部７の出力２２に出力された基準信号に基づいて、それぞれの階層の枠データ生成部４ｍ  にて枠データが生成され、生成された枠データは、それぞれ切替器５ｍ  の入力端子１９に入力される。このとき一方では、データ判別部７の出力２０に出力された判定結果信号が切替制御部８に入力される。この判定結果信号に基づいて、画像データと枠データとを択一的に選択する切替信号が切替制御部８からそれぞれの切替器５ｍ  に出力され、この切替信号に応じて選択されたデータが出力される。
【００３７】
このようにして、２０４８×３０７２画素の規定の画像サイズに満たない画像データＧ０が画像データ記録装置１０に入力された場合、その不足した画素分の画像サイズに対応する枠画像を表わす枠データが入力画像データに付加される。この切替器５ｍ  にて選択された、枠データおよび画像データは、その階層の符号器６０  〜６Ｍ−１  に入力される。符号器６０  〜６Ｍ−１  にそれぞれ入力されたデータは、たとえばハフマン符号化などの符号化処理を受ける。符号化されたそれぞれの階層の符号化データは、最終的にはそれぞれの階層ごとの所定の記録形式にて、たとえばフォトＣＤのような書き込み可能なコンパクトディスク（ＣＤ−Ｒ）などの情報記録媒体に記録される。また情報記録媒体としては、半導体メモリ素子を利用したＩＣメモリカードなども有利に利用できる。
【００３８】
また、２０４８×３０７２画素の規定の画像サイズの画像データが階層化処理回路１２に入力した場合には、制御回路１６のデータ判別部７にて判定結果信号が生成されず、切替制御部８には判定結果信号が通知されない。したがって、切替器５ｍ  のそれぞれの接続状態は図示のような状態のままとなる。これにより階層化処理回路１２にて生成されたそれぞれの階層のラプアシアンプレーン（Ｌ０  〜ＬＭ−１）  がそのまま符号化回路１４にて符号化される。
【００３９】
以上説明したように、入力画像データの画像サイズが規定された画像サイズに満たない場合であっても、最終的には、規定の画像サイズの画像データを切替器５ｍ  より出力し、符号化回路１４にて符号化することができる。符号化された符号化データは、たとえば光ディスクなどの情報記録媒体に記録される。このようにして情報記録媒体に記録された符号化データを再生すると、それぞれの階層ごとの異なる色を有した枠が補われた再生画像を得ることができる。したがって、再生画像を形成する媒体や再生装置に適した色や絵柄の枠画像が付与された画像を得ることができる。
【００４０】
なお、上述の実施例は本発明の好適な実施の一例ではあるがこれに限定されるものではなく本発明の要旨を逸脱しない範囲において種々変形実施可能である。たとえば、実施例では枠のデータを階層毎に準備しておくこととしたが、階層にこだわらず複数の枠データを準備しておき、準備された枠データの中から選択的に用いる方法でもよい。さらに枠データ生成処理部４ｍ  にて生成される枠データは、階層ごとに異なる色の枠を表わすだけではなく、枠そのものに絵柄を有するものであってもよい。
【００４１】
また、図２に示した枠データを生成する構成は、図１に示した同一の参照符号で示す補間処理部２ｍ  および演算器３ｍ  そのものでよく、この場合、階層化処理回路１２は、各階層の解像度に対応した枠画像を表わすガウシアンプレーンを用意する構成を備え、補間処理部２ｍ  および演算器３ｍ  にて生成された枠データを、たとえば切り替えにより各階層の枠データ生成部４ｍ  にそれぞれ入力させる構成としてもよい。この場合、各階層の枠データ生成部４ｍ  は、入力された枠データを保持する機能を有し、この保持した枠データをデータ判別部７より通知される基準信号に基づいた出力タイミングにて切替器５ｍ  に出力するように構成されていてよいことは言うまでもない。
【００４２】
【発明の効果】
このように本発明によれば、原画像を表わす第１の画像データが階層化処理手段にて処理されて複数の階層からなる階層的画像データの第２の画像データが作製され、一方、データ判定手段にて判定された第１の画像データの画像サイズに応じて、所定の画像サイズに満たない第１の画像データに対して、少なくとも所定の画像サイズを満たすための第３の画像データが階層化処理手段のデータ生成手段にて生成される。これら作製および生成された第２の画像データと、第３の画像データとは、切替制御手段の制御に基づいた切替手段の動作により選択されて切り替えられる。
【００４３】
これにより、所定の画像サイズに満たない第１の画像データが入力された場合、その不足分の画像データをデータ生成手段にて生成された第３の画像データで補うことができ、この不足分が補われた画像データを情報記録媒体に記録することができる。さらにこの場合、第３の画像データの元となる画像は、所望の色にて構成された画像とすることができるので、それぞれの階層ごとに所望の色の画像にて第１の画像データが表わす画像を補うことができる。
【００４４】
このようにして得られたデータは、最終的には情報記録媒体に記録される。この情報記録媒体に記録されたデータを再生する場合、各階層ごとに所望の色の画像が補われた再生画像を得ることができる。
【図面の簡単な説明】
【図１】本発明の画像データ記録装置の一実施例を示すブロック図である。
【図２】図１に示した実施例の枠データ生成部における枠データの生成を行なうための構成の一例を示すブロック図である。
【図３】図１に示した実施例における階層化処理回路にて作製されるデータの概要を示した概念図である。
【符号の説明】
１１  〜１Ｍ−１    画像縮小処理部
２１  〜２Ｍ−１    補間処理部
３０  〜３Ｍ−２    演算器
４０  〜４Ｍ−１    枠データ生成部
５０  〜５Ｍ−１    切替器
６０  〜６Ｍ−１    符号器
７  データ判別部
８  切替制御部
１４  符号化回路
１６  制御回路
【図１】
0003547792.tif 000002
【図２】
0003547792.tif 000003
【図３】
0003547792.tif 000004